(57)【要約】本開示の課題は、殺菌効果の向上を図ることが可能な水処理システムを提供する。水処理システム（１００）は、第１紫外線照射装置（１）と、第２紫外線照射装置（２）と、を備える。第１紫外線照射装置（１）は、給水系統（３）の水出口部（４）よりも上流側に設けられる。第１紫外線照射装置（１）は、給水系統（３）を通る水にＵＶ−Ｃの波長域の紫外線を照射する第１ＵＶＬＥＤ（１１）を含む。第２紫外線照射装置（２）は、水出口部（４）に設けられる。第２紫外線照射装置（２）は、水出口部（４）を通る水にＵＶ−Ｃの波長域の紫外線を照射する第２ＵＶＬＥＤ（２１）を含む。
2020090331.tif 000002
【特許請求の範囲】
【請求項１】
給水系統の水出口部よりも上流側に設けられ、前記給水系統を通る水にＵＶ−Ｃの波長域の紫外線を照射する第１ＵＶＬＥＤを含む第１紫外線照射装置と、
前記水出口部に設けられ、前記水出口部を通る水にＵＶ−Ｃの波長域の紫外線を照射する第２ＵＶＬＥＤを含む第２紫外線照射装置と、を備える、
水処理システム。
【請求項２】
前記第１紫外線照射装置による第１紫外線照射量と前記第２紫外線照射装置による第２紫外線照射量との合計が目標紫外線照射量以上である、
請求項１に記載の水処理システム。
【請求項３】
前記第１紫外線照射装置を制御する第１制御部と、前記第２紫外線照射装置を制御する第２制御部と、を備え、
前記第１制御部による前記第１紫外線照射装置の制御と前記第２制御部による前記第２紫外線照射装置の制御とによって前記第１紫外線照射量と前記第２紫外線照射量との合計を前記目標紫外線照射量以上とする、
請求項２に記載の水処理システム。
【請求項４】
前記目標紫外線照射量は、１０ｍＪ／ｃｍ２である、
請求項２又は３に記載の水処理システム。
【請求項５】
前記第１紫外線照射装置は、
前記給水系統の一部を構成し前記第１ＵＶＬＥＤからの紫外線を透過する透過部を含み、
前記第１ＵＶＬＥＤは、前記給水系統の外側において前記第１紫外線照射装置の前記透過部に接している、
請求項１〜４のいずれか一項に記載の水処理システム。
【請求項６】
前記第２紫外線照射装置は、前記水出口部の一部を構成し前記第２ＵＶＬＥＤからの紫外線を透過する透過部を含み、
前記第２ＵＶＬＥＤは、前記水出口部の外側において前記第２紫外線照射装置の前記透過部に接している、
請求項１〜５のいずれか一項に記載の水処理システム。
【請求項７】
前記第２紫外線照射装置は、
前記水出口部の一部を構成し前記第２ＵＶＬＥＤからの紫外線を透過する透過部と、
前記水出口部の外側において前記第２ＵＶＬＥＤと前記透過部との間に配置されており、前記第２ＵＶＬＥＤからの紫外線の指向性を強めるメッシュ部材と、を備える、
請求項１〜５のいずれか一項に記載の水処理システム。
【請求項８】
前記第２紫外線照射装置の前記第２ＵＶＬＥＤと前記水出口部の出口との間に設けられＵＶ−Ｃの波長域の紫外線を吸収する紫外線吸収部を更に備える、
請求項１〜７のいずれか一項に記載の水処理システム。
【請求項９】
前記第２紫外線照射装置は、前記第２ＵＶＬＥＤからの紫外線を透過する材料により形成されており、前記水出口部の一部を構成する環状部を含み、
前記第２ＵＶＬＥＤは、前記環状部の外周面側に配置されており、
前記第２紫外線照射装置は、前記環状部の外周面において前記第２ＵＶＬＥＤからの紫外線の入射面以外に設けられ、前記第２ＵＶＬＥＤからの紫外線を反射する反射膜を更に備える、
請求項１〜４のいずれか一項に記載の水処理システム。
【請求項１０】
前記第２紫外線照射装置は、前記環状部の内周面側に配置され前記第２ＵＶＬＥＤからの紫外線の配光を制御するシリンドリカルレンズを更に備える、
請求項９に記載の水処理システム。
【請求項１１】
前記第２紫外線照射装置は、前記水出口部内に設けられ前記第２ＵＶＬＥＤの紫外線照射領域よりも上流側に配置されている羽根車を更に備える、
請求項１〜８のいずれか一項に記載の水処理システム。
【請求項１２】
前記羽根車の回転により発電する発電機と、
前記発電機により充電され、前記第２ＵＶＬＥＤに電力を供給する蓄電池と、を更に備える、
請求項１１に記載の水処理システム。
【請求項１３】
前記水出口部は、浄水器を含み、
前記第２紫外線照射装置は、前記浄水器に設けられている、
請求項１〜４、１１、１２のいずれか一項に記載の水処理システム。
【発明の詳細な説明】
【技術分野】
【０００１】
本開示は、水処理システムに関し、より詳細には、水に紫外線を照射することにより殺菌を行う水処理システムに関する。
【背景技術】
【０００２】
従来、紫外線を照射して流体を殺菌する流体殺菌装置が知られている（特許文献１）。【０００３】
特許文献１に記載された流体殺菌装置は、長手方向に延びる流路を構成する直管と、流路を層状状態で流れる流体に向けて上記長手方向に紫外線を照射する光源と、を備えている。光源は、紫外線を発する発光素子を有する。【０００４】
特許文献１に記載された流体殺菌装置に限らず、殺菌用の光源としてＵＶＬＥＤ（Ultraviolet Light Emitting Diode）を用いた水処理システムでは、殺菌効果の更なる向上が望まれる場合があった。
【先行技術文献】
【特許文献】
【０００５】
【特許文献１】特開２０１７−７４１１４号公報
【発明の概要】
【０００６】
本開示の目的は、殺菌効果の向上を図ることが可能な水処理システムを提供することにある。
【０００７】
本開示の一態様に係る水処理システムは、第１紫外線照射装置と、第２紫外線照射装置と、を備える。前記第１紫外線照射装置は、給水系統の水出口部よりも上流側に設けられる。前記第１紫外線照射装置は、前記給水系統を通る水にＵＶ−Ｃの波長域の紫外線を照射する第１ＵＶＬＥＤを含む。前記第２紫外線照射装置は、前記水出口部に設けられる。前記第２紫外線照射装置は、前記水出口部を通る水にＵＶ−Ｃの波長域の紫外線を照射する第２ＵＶＬＥＤを含む。
【図面の簡単な説明】
【０００８】
【図１】図１は、本開示の実施形態１に係る水処理システムの概略構成図である。
【図２】図２Ａは、同上の水処理システムにおける第２紫外線照射装置の断面図である。図２Ｂは、同上の水処理システムにおける第２紫外線照射装置の要部平面図である。
【図３】図３は、本開示の実施形態２に係る水処理システムの概略構成図である。
【図４】図４Ａは、本開示の実施形態３に係る水処理システムの概略構成図である。図４Ｂは、同上の水処理システムにおけるメッシュ部材の斜視図である。
【図５】図５は、本開示の実施形態４に係る水処理システムの概略構成図である。
【図６】図６Ａは、同上の水処理システムにおける第２紫外線照射装置の要部縦断面図である。図６Ｂは、同上の水処理システムにおける第２紫外線照射装置の要部横断面図である。
【図７】図７Ａは、本開示の実施形態４の変形例１に係る水処理システムにおける第２紫外線照射装置の要部縦断面図である。図７Ｂは、同上の水処理システムにおける第２紫外線照射装置の平面図である。
【図８】図８Ａは、本開示の実施形態５に係る水処理システムにおける浄水器の斜視図である。図８Ｂは、同上の浄水器の概略構成図である。
【図９】図９は、同上の水処理システムにおける要部回路図である。
【図１０】図１０は、同上の水処理システムの動作を説明するフローチャートである。
【発明を実施するための形態】
【０００９】
下記の実施形態１〜５等において説明する図１〜８Ｂは、模式的な図であり、図中の各構成要素の大きさや厚さそれぞれの比が、必ずしも実際の寸法比を反映しているとは限らない。
【００１０】
（実施形態１）
（１．１）概要
以下、実施形態１に係る水処理システム１００について、図１に基づいて説明する。
【００１１】
水処理システム１００は、紫外線を利用した水処理システムであり、ＵＶ−Ｃの波長域の紫外線を水に照射することにより、殺菌を行うシステムである。水処理システム１００における処理対象の水は、水道水であるが、これに限らず、例えば、河川水、湖沼水、井戸水、地下水、工業用水、純水、水素水、飲料水等であってもよい。ここにおいて、飲料水は、例えば、飲料水タンクから供給される水である。
【００１２】
水処理システム１００は、第１紫外線照射装置１と、第２紫外線照射装置２と、を備える。第１紫外線照射装置１は、給水系統３の水出口部４よりも上流側に設けられる。第２紫外線照射装置２は、水出口部４に設けられている。
【００１３】
水処理システム１００では、第１紫外線照射装置１による第１紫外線照射量と第２紫外線照射装置２による第２紫外線照射量との合計が、目標紫外線照射量以上である。第１紫外線照射量及び第２紫外線照射量の各々は、紫外線が入射する面の単位面積当たりの紫外線照射エネルギ量であり、紫外線照度（μＷ／ｃｍ２）と照射時間（ｓｅｃ）との積で示される。水処理システム１００は、例えば、クリプトスポリジウム等の耐塩素性病原生物に対する対策として使用することができる。目標紫外線照射量は、例えば、公益財団法人水道技術研究センターにおいて制定されている紫外線照射装置ＪＷＲＣ技術審査基準に準じて決めてあり、例えば、１０ｍＪ／ｃｍ２である。
【００１４】
水処理システム１００は、第１紫外線照射装置１を制御する第１制御部５と、第２紫外線照射装置を制御する第２制御部６と、を更に備える。水処理システム１００は、第１制御部５による第１紫外線照射装置１の制御と第２制御部６による第２紫外線照射装置２の制御とによって第１紫外線照射量と第２紫外線照射量との合計を目標紫外線照射量以上とする。
【００１５】
（１．２）水処理システムの各構成要素
以下、水処理システム１００の各構成要素についてより詳細に説明する。
【００１６】
（１．２．１）第１紫外線照射装置
第１紫外線照射装置１は、給水系統３を通る水にＵＶ−Ｃの波長域の紫外線を照射する第１ＵＶＬＥＤ１１を含む。
【００１７】
第１紫外線照射装置１では、第１ＵＶＬＥＤ１１が、ＵＶ−Ｃの波長域の紫外線を放射するように構成されている。ここにおいて、第１ＵＶＬＥＤ１１は、２１０ｎｍ〜２８０ｎｍの波長域の紫外線を放射するように構成されているのが好ましい。第１紫外線照射装置１では、殺菌効果を高める観点から、第１ＵＶＬＥＤ１１の発光ピーク波長が、２６０ｎｍ〜２８５ｎｍの波長域にあるのが、より好ましい。これにより、第１ＵＶＬＥＤ１１は、ウイルスや細菌のＤＮＡに吸収されやすい２６０ｎｍ〜２８５ｎｍ帯の紫外線を放射させることができ、効率良く殺菌することが可能となる。なお、ＪＩＳ  Ｚ８８１１−１９６８では、「殺菌紫外線」は、紫外線のうち波長２６０ｎｍ付近に最大殺菌効果を有する殺菌効果曲線の示す波長領域内のものと規定されている。
【００１８】
第１紫外線照射装置１は、第１ＵＶＬＥＤ１１を複数備えている。第１紫外線照射装置１は、複数の第１ＵＶＬＥＤ１１が実装されている第１基板１２を備えている。第１基板１２は、例えば、プリント配線基板である。第１基板１２は、第１主面１２１及び第２主面１２２を有している。第１主面１２１及び第２主面１２２は、第１基板１２の厚さ方向に交差し、第１基板１２の厚さ方向において互いに離れている。複数の第１ＵＶＬＥＤ１１は、第１基板１２の第１主面１２１側において第１基板１２に実装されている。複数の第１ＵＶＬＥＤ１１は、例えば、マトリクス状に配列されている。
【００１９】
第１紫外線照射装置１は、複数の第１ＵＶＬＥＤ１１からの紫外線を透過する透過部１３（以下、第１透過部１３ともいう）を含む。第１透過部１３は、給水系統３の一部を兼ねる。第１透過部１３は、給水系統３の第１開口部３５を塞ぐように配置されている。ここにおいて、給水系統３は、複数の給水管３０を連結して形成された給水配管３００を備えている。給水系統３は、複数の給水管３０のうち流路方向において並ぶ２つの給水管３０どうしが連結され、互いに流路どうしがつながっている。給水系統３では、複数の給水管３０のうち１つの給水管３０（３０１）に第１開口部３５が形成されている。複数の給水管３０のうち第１開口部３５が形成されている給水管３０（３０１）は、水の流入口３１を有する第１端３１１と水の流出口３２を有する第２端３１２との間において第１開口部３５が形成されている。複数の給水管３０の各々の材料は、例えば、ステンレス鋼である。
【００２０】
第１透過部１３は、第１ＵＶＬＥＤ１１の発光ピーク波長の紫外線（ＵＶ−Ｃの波長域の紫外線）に対して透光性を有する。ここにおいて、「透光性を有する」とは、第１ＵＶＬＥＤ１１の発光ピーク波長の紫外線（ＵＶ−Ｃの波長域の紫外線）に対する透過率が５０％以上、好ましくは７０％以上、より好ましくは９０％以上であることを意味する。第１透過部１３の材料は、例えば、石英、合成石英、サファイア、主骨格がＣ−Ｆ結合からなり第１ＵＶＬＥＤ１１の発光ピーク波長の紫外線に対する透過率が９０％以上であるフッ素系樹脂（例えば、アモルファスフッ素樹脂）等である。また、第１透過部１３の材料は、ＵＶ−Ｃの波長域の紫外線を透過する硼珪酸ガラスであってもよい。この種の硼珪酸ガラスとしては、例えば、ＳＣＨＯＴＴ社製のＳＣＨＯＴＴ  ８３３７Ｂ、ＳＣＨＯＴＴ社製のＳＣＨＯＴＴ  ８３４７等を採用することができる。
【００２１】
第１透過部１３は、板状であり、複数の第１ＵＶＬＥＤ１１からの紫外線が入射する入射面１３１と、入射面１３１に入射した紫外線が出射する出射面１３２と、を有する。第１紫外線照射装置１では、第１透過部１３の出射面１３２が、給水系統３を流れる水に接する。
【００２２】
第１紫外線照射装置１は、第１カバー１４を備えている。第１カバー１４は、複数の第１ＵＶＬＥＤ１１を挟んで第１基板１２に対向し、複数の第１ＵＶＬＥＤ１１を保護する。第１カバー１４の材料は、例えば、石英、合成石英、サファイア、アモルファスフッ素樹脂等である。また、第１カバー１４の材料は、ＵＶ−Ｃの波長域の紫外線を透過する硼珪酸ガラスであってもよい。この種の硼珪酸ガラスとしては、例えば、ＳＣＨＯＴＴ社製のＳＣＨＯＴＴ  ８３３７Ｂ、ＳＣＨＯＴＴ社製のＳＣＨＯＴＴ  ８３４７等を採用することができる。
【００２３】
第１紫外線照射装置１は、第１カバー１４を必ずしも備えている必要はない。ここにおいて、第１紫外線照射装置１では、複数の第１ＵＶＬＥＤ１１が、給水系統３の外側において第１紫外線照射装置１の第１透過部１３に接していてもよい。この場合、第１紫外線照射装置１では、第１基板１２に実装されている複数の第１ＵＶＬＥＤ１１が、第１透過部１３に接していればよい。また、第１紫外線照射装置１は、第１カバー１４と第１透過部１３との間に、第１ＵＶＬＥＤ１１からの紫外線を透過する接着剤からなる第１接着層を含んでいてもよい。いずれにしても、第１紫外線照射装置１では、複数の第１ＵＶＬＥＤ１１と第１透過部１３とが空間を介さずに熱結合されていればよい。
【００２４】
第１紫外線照射装置１では、複数の第１ＵＶＬＥＤ１１が直列接続されているが、並列接続されていてもよいし、直並列接続されていてもよい。第１紫外線照射装置１は、複数の第１ＵＶＬＥＤ１１を駆動する第１駆動回路を更に備える。第１駆動回路は、例えば、第１電源部から複数の第１ＵＶＬＥＤ１１への給電路に設けられた半導体スイッチング素子を含む。第１駆動回路は、第１制御部５によって制御される。これにより、第１紫外線照射装置１は、第１制御部５によって制御される。第１電源部は、蓄電池であるが、これに限らず、例えば、外部の交流電源から供給される交流電圧を所定の直流電圧に変換するＡＣ−ＤＣコンバータ等の電源回路でもよい。また、第１電源部は、非接触給電方式により給電されてもよい。非接触給電方式により給電する場合、第１紫外線照射装置１は、非接触給電のための第１受電コイルを備える。ここにおいて、第１受電コイルは、第１給電装置の第１給電コイルに電磁結合されて、第１給電コイルから電磁誘導により電力を受けるように構成される。第１電源部は、第１受電コイルで受電した電力を所定の電力に変換する機能を有する。第１紫外線照射装置１は、第１ケースを備えていてもよい。第１ケースは、一面に開口を有する箱状であって、複数の第１ＵＶＬＥＤ１１、第１基板１２、第１制御部５、第１電源部等を収容する。第１紫外線照射装置１が第１ケースを備える場合、第１ケースの開口は、例えば、第１カバー１４により塞がれる。
【００２５】
（１．２．２）第２紫外線照射装置
第２紫外線照射装置２は、水出口部４を通る水にＵＶ−Ｃの波長域の紫外線を照射する第２ＵＶＬＥＤ２１を含む。
【００２６】
第２紫外線照射装置２では、第２ＵＶＬＥＤ２１が、ＵＶ−Ｃの波長域の紫外線を放射するように構成されている。ここにおいて、第２ＵＶＬＥＤ２１は、２１０ｎｍ〜２８０ｎｍの波長域の紫外線を放射するように構成されているのが好ましい。第２紫外線照射装置２では、殺菌効果を高める観点から、第２ＵＶＬＥＤ２１の発光ピーク波長が、２６０ｎｍ〜２８５ｎｍの波長域にあるのが、より好ましい。これにより、第２ＵＶＬＥＤ２１は、ウイルスや細菌のＤＮＡに吸収されやすい２６０ｎｍ〜２８５ｎｍ帯の紫外線を放射させることができ、効率良く殺菌することが可能となる。第２ＵＶＬＥＤ２１の発光ピーク波長は、第１ＵＶＬＥＤ１１の発光ピーク波長と同じであるが、これに限らず、第１ＵＶＬＥＤ１１の発光ピーク波長と異なっていてもよい。
【００２７】
第２紫外線照射装置２は、第２ＵＶＬＥＤ２１を複数備えている。第２紫外線照射装置２は、複数の第２ＵＶＬＥＤ２１が実装されている第２基板２２を備えている。第２基板２２は、例えば、プリント配線基板である。第２基板２２は、第１主面２２１及び第２主面２２２を有している。第１主面２２１及び第２主面２２２は、第２基板２２の厚さ方向に交差し、第２基板２２の厚さ方向において互いに離れている。複数の第２ＵＶＬＥＤ２１は、第２基板２２の第１主面２２１側において第２基板２２に実装されている。複数の第２ＵＶＬＥＤ２１は、例えば、マトリクス状に配列されている。
【００２８】
第２紫外線照射装置２は、水出口部４の一部を構成し、複数の第２ＵＶＬＥＤ２１からの紫外線を透過する透過部２３（以下、第２透過部２３ともいう）を含む。第２透過部２３は、水出口部４の第２開口部４５を塞ぐように配置されている。水出口部４は、給水配管３００の末端の給水管３０（３０２）を含んでいる。末端の給水管３０（３０２）は、曲がっている。より詳細には、末端の給水管３０（３０２）は、Ｌ字状である。末端の給水管３０（３０２）は、水の流入口３１を有する第１端３１１と水の流出口３２を有する第２端３１２との間において第２開口部４５が形成されている。水出口部４は、末端の給水管３０（３０２）に取り付けられる給水栓を備えていてもよい。
【００２９】
第２透過部２３は、第２ＵＶＬＥＤ２１の発光ピーク波長の紫外線（ＵＶ−Ｃの波長域の紫外線）に対して透光性を有する。ここにおいて、「透光性を有する」とは、第２ＵＶＬＥＤ２１の発光ピーク波長の紫外線（ＵＶ−Ｃの波長域の紫外線）に対する透過率が５０％以上、好ましくは７０％以上、より好ましくは９０％以上であることを意味する。第２透過部２３の材料は、例えば、石英、合成石英、サファイア、アモルファスフッ素樹脂等である。また、第２透過部２３の材料は、ＵＶ−Ｃの波長域の紫外線を透過する硼珪酸ガラスであってもよい。この種の硼珪酸ガラスとしては、例えば、ＳＣＨＯＴＴ社製のＳＣＨＯＴＴ  ８３３７Ｂ、ＳＣＨＯＴＴ社製のＳＣＨＯＴＴ  ８３４７等を採用することができる。
【００３０】
第２透過部２３は、板状であり、複数の第２ＵＶＬＥＤ２１からの紫外線が入射する入射面２３１と、入射面２３１に入射した紫外線が出射する出射面２３２と、を有する。第２紫外線照射装置２では、第２透過部２３の出射面２３２が、水出口部４を流れる水に接する。
【００３１】
第２紫外線照射装置２は、第２カバー２４を備えている。第２カバー２４は、複数の第２ＵＶＬＥＤ２１を挟んで第２基板２２に対向し、複数の第２ＵＶＬＥＤ２１を保護する。第２カバー２４の材料は、例えば、石英、合成石英、サファイア、アモルファスフッ素樹脂等である。また、第２カバー２４の材料は、ＵＶ−Ｃの波長域の紫外線を透過する硼珪酸ガラスであってもよい。この種の硼珪酸ガラスとしては、例えば、ＳＣＨＯＴＴ社製のＳＣＨＯＴＴ  ８３３７Ｂ、ＳＣＨＯＴＴ社製のＳＣＨＯＴＴ  ８３４７等を採用することができる。
【００３２】
第２紫外線照射装置２は、第２カバー２４を必ずしも備えている必要はない。ここにおいて、第２紫外線照射装置２では、複数の第２ＵＶＬＥＤ２１が、水出口部４の外側において第２紫外線照射装置２の第２透過部２３に接していてもよい。この場合、第２紫外線照射装置２では、第２基板２２に実装されている複数の第２ＵＶＬＥＤ２１が、第２透過部２３に接していればよい。また、第２紫外線照射装置２は、第２カバー２４と第２透過部２３との間に、第２ＵＶＬＥＤ２１からの紫外線を透過する接着剤からなる第２接着層を含んでいてもよい。いずれにしても、第２紫外線照射装置２では、複数の第２ＵＶＬＥＤ２１と第２透過部２３とが空間を介さずに熱結合されていればよい。
【００３３】
第２紫外線照射装置２では、複数の第２ＵＶＬＥＤ２１が直列接続されているが、並列接続されていてもよいし、直並列接続されていてもよい。第２紫外線照射装置２は、複数の第２ＵＶＬＥＤ２１を駆動する第２駆動回路を更に備える。第２駆動回路は、例えば、第２電源部から複数の第２ＵＶＬＥＤ２１への給電路に設けられた半導体スイッチング素子を含む。第２駆動回路は、第２制御部６によって制御される。これにより、第２紫外線照射装置２は、第２制御部６によって制御される。第２電源部は、蓄電池であるが、これに限らず、例えば、外部の交流電源から供給される交流電圧を所定の直流電圧に変換するＡＣ−ＤＣコンバータ等の電源回路でもよい。また、第２電源部は、非接触給電方式により給電されてもよい。非接触給電方式により給電する場合、第２紫外線照射装置２は、例えば、非接触給電のための第２受電コイルを備える。ここにおいて、第２受電コイルは、第２給電装置の第２給電コイルに電磁結合されて、第２給電コイルから電磁誘導により電力を受けるように構成される。第２電源部は、第２受電コイルで受電した電力を所定の電力に変換する機能を有する。第２紫外線照射装置２は、第２ケースを備えていてもよい。第２ケースは、一面に開口を有する箱状であって、複数の第２ＵＶＬＥＤ２１、第２基板２２、第２制御部６、第２電源部等を収容する。第２紫外線照射装置２が第２ケースを備える場合、第２ケースの開口は、例えば、第２カバー２４により塞がれる。
【００３４】
（１．２．３）第１制御部
第１制御部５は、第１紫外線照射装置１の第１駆動回路を制御する。第１制御部５は、第１駆動回路の半導体スイッチング素子をオンオフ制御する。第１制御部５は、例えば、半導体スイッチ素子をオン制御することにより、第１電源部から複数の第１ＵＶＬＥＤ１１に電力を供給させ複数の第１ＵＶＬＥＤ１１から紫外線を放射させるように第１紫外線照射装置１を制御することができる。また、第１制御部５は、半導体スイッチ素子をオフ制御することにより、第１電源部から複数の第１ＵＶＬＥＤ１１への電力の供給を停止させて複数の第１ＵＶＬＥＤ１１から紫外線を放射させないように第１紫外線照射装置１を制御することができる。
【００３５】
また、第１制御部５は、例えば半導体スイッチング素子をＰＷＭ制御することによって、複数の第１ＵＶＬＥＤ１１に流れる電流の単位時間当たりの平均値を調整してもよい。これにより、第１制御部５は、第１紫外線照射装置１の第１紫外線照射量を調整することができる。
【００３６】
また、第１制御部５は、複数の第１ＵＶＬＥＤ１１が間欠駆動されるように第１駆動回路を制御してもよい。また、第１制御部５は、予め決められたタイムスケジュールにしたがって複数の第１ＵＶＬＥＤ１１が駆動されるように第１駆動回路を制御してもよい。また、第１制御部５は、ユーザ等により操作される第１操作部からの入力を受けつけて第１駆動回路を制御してもよい。また、第１制御部５は、例えば、給水系統３に設けられたポンプ、流量センサ、水圧センサ、バルブ、第１紫外線照射装置１、第２紫外線照射装置２、第２制御部６、第１駆動回路、第２駆動回路、第１電源部及び第２電源部等の動作に関する情報に基づいて第１駆動回路を制御してもよい。ここにおいて、第１制御部５は、有線通信により情報を取得してもよいし、無線通信により情報を取得してもよい。水処理システム１００は、第１制御部５が無線通信を行う場合に、第１制御部５とは別に無線通信用の第１通信部を備えていてもよい。
【００３７】
第１制御部５は、例えば、マイクロコントローラ（Microcontroller）を含む。マイクロコントローラは、プログラムに従って動作するプロセッサと、プロセッサを動作させるプログラムを格納するためのメモリ及び作業用のメモリと、を備えた１チップのデバイスとして構成される。第１制御部５は、マイクロコントローラにプログラムを実行させることにより、実現することができる。
【００３８】
本開示における第１制御部５の実行主体は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における第１制御部５としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【００３９】
第１制御部５は、第１紫外線照射装置１の第１基板１２の第２主面１２２側において第１基板１２に実装されている。なお、第１制御部５は、ハイブリッドＩＣでもよい。
【００４０】
（１．２．４）第２制御部
第２制御部６は、第２駆動回路を制御する。第２制御部６が半導体スイッチング素子をＰＷＭ制御することによって、複数の第２ＵＶＬＥＤ２１に流れる電流の単位時間当たりの平均値を調整することができ、第２紫外線照射装置２の第２紫外線照射量を調整してもよい。これにより、第２制御部６は、第２紫外線照射装置２の第２紫外線照射量を調整することができる。
【００４１】
また、第２制御部６は、複数の第２ＵＶＬＥＤ２１が間欠駆動されるように第２駆動回路を制御してもよい。また、第２制御部６は、予め決められたタイムスケジュールにしたがって複数の第２ＵＶＬＥＤ２１が駆動されるように第２駆動回路を制御してもよい。また、第２制御部６は、ユーザ等により操作される第２操作部からの入力を受けつけて第２駆動回路を制御してもよい。また、第２制御部６は、例えば、給水系統３に設けられたポンプ、流量センサ、水圧センサ、バルブ、第１紫外線照射装置１、第２紫外線照射装置２、第１制御部５、第１駆動回路、第２駆動回路、第１電源部及び第２電源部等の動作に関する情報に基づいて第２駆動回路を制御してもよい。ここにおいて、第２制御部６は、有線通信により情報を取得してもよいし、無線通信により情報を取得してもよい。水処理システム１００は、第２制御部６が無線通信を行う場合に、第２制御部６とは別に無線通信用の第２通信部を備えていてもよい。
【００４２】
本開示における第２制御部６の実行主体は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における第２制御部６としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路又は大規模集積回路を含む１ないし複数の電子回路で構成される。ここでいうＩＣ又はＬＳＩ等の集積回路は、集積の度合いによって呼び方が異なっており、システムＬＳＩ、ＶＬＳＩ、又はＵＬＳＩと呼ばれる集積回路を含む。さらに、ＬＳＩの製造後にプログラムされる、ＦＰＧＡ、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【００４３】
第２制御部６は、第２紫外線照射装置２の第２基板２２の第２主面２２２側において第２基板２２に実装されている。なお、第２制御部６は、ハイブリッドＩＣでもよい。
【００４４】
（１．２．５）水処理システムの他の構成要素
水処理システム１００は、上述の第１通信部と、第２通信部と、を備えていてもよい。第１通信部は、例えば、第１基板１２の第２主面１２２上に配置される。第２通信部は、例えば、第２基板２２の第２主面２２２上に配置される。水処理システム１００では、例えば、第１通信部と第２通信部との間で第１制御部５による第１紫外線照射装置１の制御情報と第２制御部６による第２紫外線照射装置２の制御情報とを通信することができる。第１通信部と第２通信部との間の通信は、例えば、無線通信であるが、これに限らず、有線通信でもよい。
【００４５】
（１．３）効果
実施形態１に係る水処理システム１００は、第１紫外線照射装置１と、第２紫外線照射装置２と、を備える。第１紫外線照射装置１は、給水系統３の水出口部４よりも上流側に設けられる。第１紫外線照射装置１は、給水系統３を通る水にＵＶ−Ｃの波長域の紫外線を照射する第１ＵＶＬＥＤ１１を含む。第２紫外線照射装置２は、水出口部４に設けられている。第２紫外線照射装置２は、水出口部４を通る水にＵＶ−Ｃの波長域の紫外線を照射する第２ＵＶＬＥＤ２１を含む。
【００４６】
これにより、実施形態１に係る水処理システム１００では、殺菌効果の向上を図ることが可能となる。ここにおいて、実施形態１に係る水処理システム１００では、水出口部４に設ける紫外線照射装置（第２紫外線照射装置２）の大型化を抑制しつつ殺菌効果の向上を図ることができる。また、実施形態１に係る水処理システム１００では、第１紫外線照射装置１により殺菌された水が何等かの理由で有害菌に接触して殺菌効果が弱まった場合でも、水出口部４を通る水を第２紫外線照射装置２により殺菌できるので、殺菌効果の向上を図ることが可能となる。
【００４７】
また、実施形態１に係る水処理システム１００は、第１ＵＶＬＥＤ１１が給水系統３の外側において第１紫外線照射装置１の第１カバー１４に接し、第１カバー１４が第１透過部１３に接している。これにより、実施形態１に係る水処理システム１００では、第１ＵＶＬＥＤ１１で発生した熱が水に接する第１透過部１３を通して放熱されるので、第１ＵＶＬＥＤ１１で発生した熱を効率良く放熱させることが可能となる。また、実施形態１に係る水処理システム１００では、第１ＵＶＬＥＤ１１が給水系統３の外側において第１透過部１３に接するようにすれば、第１ＵＶＬＥＤ１１で発生した熱を更に効率良く放熱させることが可能となる。第１紫外線照射装置１の放熱性を向上させる観点からは、第１基板１２を構成するプリント配線基板として金属ベースプリント配線基板を採用するのが好ましい。
【００４８】
また、実施形態１に係る水処理システム１００は、第２ＵＶＬＥＤ２１が水出口部４の外側において第２紫外線照射装置２の第２カバー２４に接し、第２カバー２４が第２透過部２３に接している。これにより、実施形態１に係る水処理システム１００では、第２ＵＶＬＥＤ２１で発生した熱が水に接する第２透過部２３を通して放熱されるので、第２ＵＶＬＥＤ２１で発生した熱を効率良く放熱させることが可能となる。また、実施形態１に係る水処理システム１００では、第２ＵＶＬＥＤ２１が水出口部４の外側において第２透過部２３に接するようにすれば、第２ＵＶＬＥＤ２１で発生した熱を更に効率良く放熱させることが可能となる。第２紫外線照射装置２の放熱性を向上させる観点からは、第２基板２２を構成するプリント配線基板として金属ベースプリント配線基板を採用するのが好ましい。
【００４９】
第１紫外線照射装置１及び第２紫外線照射装置２は、給水系統３に着脱可能に構成されていてもよい。これにより、第１紫外線照射装置１及び第２紫外線照射装置２それぞれを、交換可能となる。また、第１紫外線照射装置１が、給水管３０１を含んでいてもよい。この場合、第１紫外線照射装置１は、給水管３０１のフランジ等を利用して他の給水管３０と連結することができる。また、第２紫外線照射装置２が、給水管３０２を含んでいてもよい。この場合、第２紫外線照射装置２は、給水管３０２のフランジ等を利用して他の給水管３０と連結することができる。
【００５０】
（実施形態１の変形例）
実施形態１の変形例に係る水処理システム１００ａについて、図２Ａ及び２Ｂに基づいて説明する。
【００５１】
変形例に係る水処理システム１００ａは、実施形態１に係る水処理システム１００の第２紫外線照射装置２の代わりに第２紫外線照射装置２ａを備える点で、実施形態１に係る水処理システム１００と相違する。変形例に係る水処理システム１００ａでは、第２紫外線照射装置２ａ以外の構成は実施形態１に係る水処理システム１００と同じなので、図示及び説明を省略する。
【００５２】
第２紫外線照射装置２ａでは、図２Ｂに示すように、第２基板２２の外周形状が円形状である。第２紫外線照射装置２ａでは、第２基板２２の第１主面２２１上の複数の第２ＵＶＬＥＤ２１の配置密度が、中央部において周辺部よりも高くなっている。ここにおいて、第２紫外線照射装置２ａでは、複数の第２ＵＶＬＥＤ２１を同心円上に配列してある。一例として、第２紫外線照射装置２ａでは、２つの仮想円のうち、相対的に内側に位置する仮想円上に４つの第２ＵＶＬＥＤ２１を等間隔で配列し、相対的に外側に位置する仮想円上に４つの第２ＵＶＬＥＤ２１を等間隔で配列してある。
【００５３】
また、第２紫外線照射装置２ａは、実施形態１に係る水処理システム１００における第２紫外線照射装置２の第２カバー２４を備えておらず、第２ＵＶＬＥＤ２１が第２基板２２の厚さ方向において第２透過部２３から離れている。
【００５４】
第２紫外線照射装置２ａは、複数の第２ＵＶＬＥＤ２１が上述のように配置されていることにより、第２基板２２の中央部の投影領域における紫外線照射量を第２基板２２の周辺部の投影領域における紫外線照射量よりも多くすることができる。第２紫外線照射装置２ａは、第２基板２２の厚さ方向に沿った中心軸が末端の給水管３０の中心軸と揃うように配置されている。給水系統３では、流路の中心領域での流速が流路の周辺領域（給水管３０の内面付近）での流速よりも速くなる傾向にある。これに対して、第２紫外線照射装置２ａは、複数の第２ＵＶＬＥＤ２１が上述のように配置されていることにより、相対的に流速の速い水に対する紫外線照射量を相対的に流速の遅い水に対する紫外線照射量よりも多くすることができ、より均一な殺菌効果を得ることが可能となる。
【００５５】
なお、変形例に係る水処理システム１００ａでは、第２紫外線照射装置２ａが、実施形態１に係る水処理システム１００における第２紫外線照射装置２の第２カバー２４を備えていないが第２カバー２４を備えていてもよい。また、変形例に係る水処理システム１００ａでは、実施形態１に係る水処理システム１００における第１紫外線照射装置１を備えているが、第１紫外線照射装置１が、第１カバー１４を備えていない構成であり、複数の第１ＵＶＬＥＤ１１と第１透過部１３とが離れていてもよいし、複数の第１ＵＶＬＥＤ１１と第１透過部１３とが接していてもよい。
【００５６】
（実施形態２）
以下、実施形態２に係る水処理システム１００ｂについて、図３に基づいて説明する。
【００５７】
実施形態２に係る水処理システム１００ｂは、実施形態１に係る水処理システム１００と略同じであり、紫外線吸収部７を更に備える点で、実施形態１に係る水処理システム１００と相違する。実施形態２に係る水処理システム１００ｂに関し、実施形態１に係る水処理システム１００と同様の構成要素については、同一の符号を付して説明を省略する。
【００５８】
また、実施形態２に係る水処理システム１００ｂは、第１紫外線照射装置１ｂが、実施形態１に係る水処理システム１００の第１紫外線照射装置１における第１カバー１４を備えていない。ここにおいて、第１紫外線照射装置１ｂでは、複数の第１ＵＶＬＥＤ１１と第１透過部１３とが離れている。
【００５９】
また、実施形態２に係る水処理システム１００ｂは、第２紫外線照射装置２ｂが、実施形態１に係る水処理システム１００の第２紫外線照射装置２における第２カバー２４を備えていない。ここにおいて、第２紫外線照射装置２ｂでは、複数の第２ＵＶＬＥＤ２１と第２透過部２３とが離れている。
【００６０】
紫外線吸収部７は、第２紫外線照射装置２ｂの第２ＵＶＬＥＤ２１と水出口部４の出口４２との間に設けられている。より詳細には、紫外線吸収部７は、給水系統３の末端の給水管３０の中心軸に沿った方向において、第２開口部４５と給水管３０の第２端３１２（水出口部４の出口４２）との間に設けられている。ここにおいて、紫外線吸収部７は、末端の給水管３０の第１端３１１と第２端３１２とのうち第２端３１２側において、給水管３０の内面の全周にわたって設けられている。紫外線吸収部７は、円筒状である。紫外線吸収部７は、第２ＵＶＬＥＤ２１から放射されるＵＶ−Ｃの波長域の紫外線を吸収する。紫外線吸収部７は、給水管３０よりも、第２ＵＶＬＥＤ２１から放射されるＵＶ−Ｃの波長域の紫外線に対する吸収率の高い材料により形成されている。給水管３０の材料は、例えば、ステンレス鋼である。また、紫外線吸収部７の材料は、例えば、ソーダライムガラス、硼珪酸ガラス等である。
【００６１】
実施形態２に係る水処理システム１００ｂは、紫外線吸収部７を備えていることにより、第２紫外線照射装置２の第２ＵＶＬＥＤ２１から放射された紫外線が水出口部４の出口４２から外部へ漏れるのを抑制することができる。紫外線吸収部７は、水出口部４に対して着脱可能であってもよい。紫外線吸収部７は、円筒状であるが、これに限らず、例えば、半円筒状でもよいし、断面Ｃ字状であってもよいし、それら以外の形状であってもよい。また、実施形態２に係る水処理システム１００ｂでは、複数の紫外線吸収部７が並んでいてもよい。
【００６２】
実施形態２に係る水処理システム１００ｂの変形例では、末端の給水管３０の全体が、他の給水管３０と比べて第２ＵＶＬＥＤ２１から放射されるＵＶ−Ｃの波長域の紫外線に対する吸収率の高い材料により形成されていてもよい。
【００６３】
（実施形態３）
以下、実施形態３に係る水処理システム１００ｃについて、図４Ａ及び４Ｂに基づいて説明する。
【００６４】
実施形態３に係る水処理システム１００ｃは、実施形態１に係る水処理システム１００と略同じであり、メッシュ部材８を更に備える点で、実施形態１に係る水処理システム１００と相違する。実施形態３に係る水処理システム１００ｃに関し、実施形態１に係る水処理システム１００と同様の構成要素については、同一の符号を付して説明を省略する。
【００６５】
また、実施形態３に係る水処理システム１００ｃは、実施形態１に係る水処理システム１００の第２紫外線照射装置２の代わりに第２紫外線照射装置２ｃを備える。
【００６６】
また、第２紫外線照射装置２ｃは、実施形態１に係る水処理システム１００における第２紫外線照射装置２の第２カバー２４を備えていない。第２紫外線照射装置２ｃでは、第２ＵＶＬＥＤ２１が第２基板２２の厚さ方向において第２透過部２３から離れている。
【００６７】
メッシュ部材８は、水出口部４の外側において第２ＵＶＬＥＤ２１と第２透過部２３との間に配置されている。メッシュ部材８は、第２ＵＶＬＥＤ２１からの紫外線の指向性を強める。メッシュ部材８の材料は、ステンレス鋼よりもＵＶ−Ｃの波長域の紫外線に対する反射率が高い材料が好ましく、例えば、アルミニウム、ポリテトラフルオロエチレン（ＰＴＦＥ）等を採用することができる。
【００６８】
メッシュ部材８は、枠部８１と、枠部８１の内側に配置されているメッシュ部８２と、を含む。枠部８１の外周形状は、円形状であるが、これに限らず、例えば、多角形状であってもよい。メッシュ部８２は、正方格子状に形成されている。つまり、メッシュ部８２の複数の開口８３のうち枠部８１から離れている各開口８３は、正方形状である。メッシュ部８２の形状は、正方格子状に限らず、例えば、三角格子状であってもよいし、六角格子状であってもよい。
【００６９】
メッシュ部材８では、第２ＵＶＬＥＤ２１から放射されて開口８３の内面に入射した紫外線を第２透過部２３へ向けて反射させることができる。第２ＵＶＬＥＤ２１から放射される紫外線の光路としては、開口８３の内面に入射して反射され第２透過部２３へ到達する光路だけでなく、開口８３の内面に入射されずに第２透過部２３へ到達する光路もある。
【００７０】
実施形態３に係る水処理システム１００ｃは、上述のように、水出口部４の外側において複数の第２ＵＶＬＥＤ２１と第２透過部２３との間に配置されており複数の第２ＵＶＬＥＤ２１からの紫外線の指向性を強めるメッシュ部材８を備える。これにより、実施形態３に係る水処理システム１００ｃは、レンズ等の複雑な光学系を用いることなく、第２紫外線照射装置２ｃからの紫外線が水出口部４の内面に入射するのを抑制でき、殺菌効果を更に向上させることが可能となる。
【００７１】
実施形態３に係る水処理システム１００ｃは、実施形態２に係る水処理システム１００ｂの紫外線吸収部７を備えていてもよい。また、第１紫外線照射装置１（図１参照）が第１カバー１４の代わりにメッシュ部材８を備えていてもよい。
【００７２】
（実施形態４）
以下、実施形態４に係る水処理システム１００ｄについて、図５、６Ａ及び６Ｂに基づいて説明する。なお、実施形態４に係る水処理システム１００ｄに関し、実施形態１に係る水処理システム１００と同様の構成要素については、同一の符号を付して説明を省略する。
【００７３】
実施形態４に係る水処理システム１００ｄを適用する給水系統３ｄは、図５に示すように、浄水器３３０と、第１ホース３５１と、第２ホース３５２と、水栓装置３４０と、を含む。浄水器３３０は、台所用のシンク１００２の下方に配置されるアンダーシンク型の浄水器である。第１ホース３５１は、浄水器３３０の流入口側に接続されており、浄水器３３０よりも上流側から浄水器３３０に向かう水が流れる。第２ホース３５２は、浄水器３３０の流出口側に接続されており、浄水器３３０を通った水が流れる。水栓装置３４０は、第２ホース３５２を介して浄水器３３０に接続されている。水栓装置３４０は、浄水器３３０からの水の吐水と止水とを行う。
【００７４】
実施形態４に係る水処理システム１００ｄは、水出口部４ｄが、シンク１００２を囲むカウンタ１００１に配置される。水出口部４ｄは、給水系統３ｄの末端に設けられた水栓装置３４０により構成されている。水栓装置３４０は、吐水用の管であるスパウト３４１と、開閉弁３４２と、電波センサ３４３と、を備える。開閉弁３４２は、スパウト３４１の上流側に配置されている。開閉弁３４２は、電波センサ３４３から出力される制御信号によって開状態と閉状態とが切り替わる。開閉弁３４２は、例えば、電磁弁である。
【００７５】
水栓装置３４０は、スパウト３４１に膨出部３４１１が設けられており、膨出部３４１１内に電波センサ３４３が配置されている。
【００７６】
水栓装置３４０は、第２ホース３５２に接続されてスパウト３４１内に配置されているホースを備えている。水栓装置３４０は、スパウト３４１内のホースとスパウト３４１との間に隙間があり、電波センサ３４３と開閉弁３４２とを接続する電線、電波センサ３４３への給電用の電線等が、スパウト３４１とホースとの間の隙間に配置されている。
【００７７】
水栓装置３４０は、電波センサ３４３から開閉弁３４２に制御信号が与えられることによって、吐水と止水とが切り替わる。ここにおいて、電波センサ３４３は、電波センサ３４３の検知エリア内において移動する物体が存在するときに開閉弁３４２を開状態にする制御信号を開閉弁３４２に与える。また、電波センサ３４３は、検知エリア内において移動する物体が存在しないときに開閉弁３４２を閉状態にする制御信号を開閉弁３４２に与える。よって、水栓装置３４０は、吐水と止水とを自動的に行うことが可能になる。物体は、例えば、手、食器、調理器具、野菜、果物等である。電波センサの検知エリアは、例えば、水栓装置３４０の吐水口の下方に設定されている。
【００７８】
実施形態４に係る水処理システム１００ｄは、第１紫外線照射装置１ｄと、第２紫外線照射装置２ｄと、を備える。第１紫外線照射装置１ｄは、給水系統３ｄの水出口部４ｄよりも上流側に設けられる。第１紫外線照射装置１ｄは、給水系統３ｄを通る水にＵＶ−Ｃの波長域の紫外線を照射する第１ＵＶＬＥＤ１１を含む。第２紫外線照射装置２ｄは、水出口部４ｄに設けられている。第２紫外線照射装置２ｄは、水出口部４ｄを通る水にＵＶ−Ｃの波長域の紫外線を照射する第２ＵＶＬＥＤ２１を含む。
【００７９】
第２紫外線照射装置２ｄは、図６Ａ及び６Ｂに示すように、水出口部４ｄの一部を構成する環状部２６を含む。環状部２６は、円環状である。水出口部４ｄでは、給水系統３からの水が環状部２６の内側を通る。図６Ａでは、環状部２６の内側を通る水を二点鎖線で模式的に図示してある。環状部２６は、第２ＵＶＬＥＤ２１からの紫外線を透過する材料により形成されている。環状部２６の材料は、例えば、合成石英、石英、アモルファスフッ素系樹脂等である。
【００８０】
第２ＵＶＬＥＤ２１は、環状部２６の外周面２６２側に配置されている。ここでは、第２ＵＶＬＥＤ２１は、環状部２６の外周面２６２において環状部２６の軸方向の中央に形成された凹部２６３に収容されている。第２ＵＶＬＥＤ２１は、第２ＵＶＬＥＤ２１の光軸が環状部２６の一径方向に沿うように配置されている。
【００８１】
第２紫外線照射装置２ｄは、環状部２６の外周面２６２において第２ＵＶＬＥＤ２１からの紫外線の入射面以外に設けられ、第２ＵＶＬＥＤ２１からの紫外線を反射する反射膜２７を更に備える。反射膜２７の材料は、例えば、アルミニウム、アルミニウム合金等である。環状部２６の内周面２６１は、第２ＵＶＬＥＤ２１の発光ピーク波長をλとするとき、λ／４以上λ以下の高低差を有する凹凸形状を有している。これにより、第２紫外線照射装置２ｄでは、第２ＵＶＬＥＤ２１から放射された光が内周面２６１と水との界面で全反射されるのを、より抑制することが可能となり、紫外線をより効率的に水に照射することが可能となる。よって、第２紫外線照射装置２ｄでは、殺菌効果を向上させることが可能となる。
【００８２】
水処理システム１００ｄでは、第２ＵＶＬＥＤ２１の光出力が７０ｍＷであり、環状部２６の内側を通る水の流量が１Ｌ／ｍｉｎ（０．０１７Ｌ／ｓｅｃ）となるように環状部２６の寸法を決めてある。環状部２６では、例えば、流路の長さＬ２（図６Ａ参照）が３４ｍｍであり、流路の直径φ２（図６Ａ参照）が２５ｍｍである。これにより、第２紫外線照射装置２ｄでは、１つの第２ＵＶＬＥＤ２１により、１秒間に０．０１７Ｌの水に対して紫外線を照射することができる。また、第２紫外線照射装置２ｄでは、環状部２６により形成される流路の中央を通る水に対する紫外線照射量を１０ｍＪ／ｃｍ２とすることができる。要するに、第２紫外線照射装置２ｄは、より少ない数の第２ＵＶＬＥＤ２１により、所望の殺菌効果を得ることが可能となる。
【００８３】
以上説明した実施形態４に係る水処理システム１００ｄは、第１紫外線照射装置１ｄと、第２紫外線照射装置２ｄと、を備える。第１紫外線照射装置１ｄは、給水系統３の水出口部４ｄよりも上流側に設けられる。第１紫外線照射装置１ｄは、給水系統３を通る水にＵＶ−Ｃの波長域の紫外線を照射する第１ＵＶＬＥＤ１１を含む。第２紫外線照射装置２ｄは、水出口部４ｄに設けられている。第２紫外線照射装置２ｄは、水出口部４ｄを通る水にＵＶ−Ｃの波長域の紫外線を照射する第２ＵＶＬＥＤ２１を含む。
【００８４】
これにより、実施形態４に係る水処理システム１００ｄでは、殺菌効果の向上を図ることが可能となる。ここにおいて、実施形態４に係る水処理システム１００ｄでは、水出口部４ｄに設ける紫外線照射装置（第２紫外線照射装置２ｄ）の大型化を抑制しつつ殺菌効果の向上を図ることができる。また、実施形態４に係る水処理システム１００ｄでは、第１紫外線照射装置１ｄにより殺菌された水が何等かの理由で有害菌に接触して殺菌効果が弱まった場合でも、水出口部４ｄを通る水を第２紫外線照射装置２ｄにより殺菌できるので、殺菌効果の向上を図ることが可能となる。
【００８５】
水処理システム１００ｄは、電波センサ３４３を備えることは必須ではない。ここにおいて、水処理システム１００ｄでは、第２紫外線照射装置２ｄは、スパウト３４１に取り付けられる場合に限らず、蛇口に取り付けられてもよい。
【００８６】
また、水処理システム１００ｄの変形例では、第２紫外線照射装置２ｄの代わりに、図７Ａ及び７Ｂに示す第２紫外線照射装置２ｅを備えていてもよい。
【００８７】
第２紫外線照射装置２ｅは、第２紫外線照射装置２ｄと略同じ構成であり、シリンドリカルレンズ２８を更に備えている点で、第２紫外線照射装置２ｄと相違する。シリンドリカルレンズ２８は、環状部２６の内周面２６１側に配置され第２ＵＶＬＥＤ２１からの紫外線の配光を制御する。これにより、第２紫外線照射装置２ｅは、環状部２６を通る水に対して、より高い照度の紫外線を照射することが可能となる。
【００８８】
第２紫外線照射装置２ｅでは、シリンドリカルレンズ２８が、環状部２６の内周面２６１の全周にわたって設けられているが、これに限らず、少なくとも環状部２６の一径方向において第２ＵＶＬＥＤ２１と重なる位置に設けられていればよい。また、第２紫外線照射装置２ｅは、シリンドリカルレンズ２８が環状部２６の内周面２６１の全周にわたって設けられている場合、１つの第２ＵＶＬＥＤ２１が配置された構成に限らず、複数の第２ＵＶＬＥＤ２１が環状部２６の内周面２６１の周方向に沿った方向において並んでいてもよい。また、第２紫外線照射装置２ｅは、シリンドリカルレンズ２８よりも上流側において環状部２６の内周面２６１から内方へ突出したオリフィス、突起等を含んでいてもよい。これにより、第２紫外線照射装置２ｅでは、シリンドリカルレンズ２８にかかる水圧を低減することが可能となる。
【００８９】
（実施形態５）
以下、実施形態５に係る水処理システム１００ｆについて、図８Ａ、８Ｂ、９及び１０に基づいて説明する。なお、実施形態５に係る水処理システム１００ｆに関し、実施形態１に係る水処理システム１００と同様の構成要素については、同一の符号を付して説明を省略する。
【００９０】
実施形態５に係る水処理システム１００ｆでは、給水系統３ｆの水出口部４ｆは、浄水器４３０を含む。水処理システム１００ｆでは、第２紫外線照射装置２ｆは、浄水器４３０に設けられている。
【００９１】
浄水器４３０は、浄水器本体４３１と、カートリッジ４３２と、切換レバー４３３と、を備える。浄水器本体４３１は、原水吐出口４３１１を有する。カートリッジ４３２は、浄水吐出口４３２１を有する。
【００９２】
カートリッジ４３２は、ろ過部４３２２を有している。ろ過部４３２２は、カートリッジハウジング内に収容されている。ろ過部４３２２は、中空糸を含んでいる。中空糸は、例えば、ポリスルホン、ポリエーテルスルホン等の高分子樹脂で形成されている。なお、浄水器４３０における浄水方式は、ろ過方式に限らず、例えば、活性炭式、イオン交換樹脂式、蒸留式又は逆浸透圧式等であってもよい。
【００９３】
切換レバー４３３は、原水吐出口４３１１から水を出すための第１位置と、浄水吐出口４３２１から水（浄水）を出すための第２位置と、の間で回転可能である。
【００９４】
第２紫外線照射装置２ｆは、第２ＵＶＬＥＤ２１と、第２ＵＶＬＥＤ２１が実装されている第２基板２２と、第２透過部２３と、を備える。第２紫外線照射装置２ｆでは、第２ＵＶＬＥＤ２１の数が１つであるが、これに限らず、複数であってもよい。
【００９５】
第２紫外線照射装置２ｆは、羽根車１０１を更に備えている。羽根車１０１は、水出口部４ｆ内において第２紫外線照射装置２ｆの紫外線照射領域よりも上流側に配置されている。羽根車１０１は、その回転中心軸が羽根車１０１の配置される流路４０の中心軸と揃うように配置されている。
【００９６】
浄水器４３０では、ろ過部４３２２から流入した水により羽根車１０１が回転する。これにより、浄水器４３０では、ろ過部４３２２から流路４０内に流入した水を羽根車１０１で撹拌させながら、流路４０の下流側に流すことができる。これにより、第２紫外線照射装置２ｆでは、水出口部４ｆ内において羽根車１０１により撹拌された水に対して第２ＵＶＬＥＤ２１からの紫外線が照射される。
【００９７】
実施形態５に係る水処理システム１００ｆは、発電機１０２と、蓄電池９（図９参照）と、を更に備える。羽根車１０１は、発電機１０２に連結されている。発電機１０２は、羽根車１０１の回転により発電する。蓄電池９は、発電機１０２により充電され、第２ＵＶＬＥＤ２１に電力を供給する。水処理システム１００ｆでは、羽根車１０１と発電機１０２とで水力発電部１０を構成している。水処理システム１００ｆは、図９に示すように、水力発電部１０と蓄電池９との間にダイオードＤ１が設けられている。また、水処理システム１００ｆは、第２駆動回路として蓄電池９から第２ＵＶＬＥＤ２１への給電路に設けられたスイッチＳＷ１を備えている。水処理システム１００ｆは、蓄電池９の電流を検出する電流センサ４７を備えている。また、水処理システム１００ｆは、水出口部４内の水流を検出する水流センサ４８を備えている。第２制御部６は、電流センサ４７の出力及び水流センサ４８の出力に基づいてスイッチ（半導体スイッチング素子）ＳＷ１を制御する。スイッチＳＷ１は、例えば、ＭＯＳＦＥＴであるが、これに限らず、バイポーラトランジスタ等であってもよい。
【００９８】
以下、水処理システム１００ｆの動作について図１０のフローチャートに基づいて説明する。
【００９９】
例えば、水処理システム１００ｆにおいて、水出口部４内に水流が発生したとする（ステップＳ１）。すると、水処理システム１００ｆでは、水力発電部１０による発電が行われ、蓄電池９の充電が開始される（ステップＳ２）。
【０１００】
その後、水流センサ４８により水流が検出され、かつ、電流センサ４７により電流（電池出力）が検出されると（ステップＳ３）、第２制御部６がスイッチＳＷ１をオンさせる（ステップＳ４）。
【０１０１】
その後、水処理システム１００ｆにおいて、水出口部４内の水流が停止したとする（ステップＳ５）。
【０１０２】
その後、水流センサ４８により水流が検出されなくなると（ステップＳ６）、第２制御部６がスイッチＳＷ１をオフさせる（ステップＳ７）。
【０１０３】
以上説明した実施形態５に係る水処理システム１００ｆは、第１紫外線照射装置１（図１参照）と、第２紫外線照射装置２ｆと、を備える。第１紫外線照射装置１は、給水系統３の水出口部４よりも上流側に設けられる。第１紫外線照射装置１は、給水系統３を通る水にＵＶ−Ｃの波長域の紫外線を照射する第１ＵＶＬＥＤ１１（図１参照）を含む。第２紫外線照射装置２ｆは、水出口部４に設けられている。第２紫外線照射装置２ｆは、水出口部４を通る水にＵＶ−Ｃの波長域の紫外線を照射する第２ＵＶＬＥＤ２１を含む。
【０１０４】
これにより、実施形態５に係る水処理システム１００ｆでは、殺菌効果の向上を図ることが可能となる。
【０１０５】
実施形態５に係る水処理システム１００ｆは、水出口部４ｆ内おいて第２紫外線照射装置２ｆの紫外線照射領域よりも下流側に配置されている整流板、水流制御板等を備えていてもよい。
【０１０６】
実施形態５に係る水処理システム１００ｆは、第２紫外線照射装置２ｆから放射される紫外線の配光を制御するレンズ、反射板等の光学部品を備えていてもよい。また、水処理システム１００ｆは、第１紫外線照射装置１から放射される紫外線の配光を制御するレンズ、反射板等の光学部品を備えていてもよい。
【０１０７】
また、実施形態５に係る水処理システム１００ｆは、実施形態２に係る水処理システム１００ｂと同様、水出口部４に紫外線吸収部７を備えていてもよい。これにより、第２紫外線照射装置２ｆから放射された紫外線が外部へ漏れるのを抑制することが可能となる。
【０１０８】
なお、第２紫外線照射装置２ｆにおける第２ＵＶＬＥＤ２１の数は、１つに限らず、複数であってもよい。
【０１０９】
実施形態１〜５は、本開示の様々な実施形態の一つに過ぎない。実施形態１〜５は、本開示の目的を達成できれば、設計等に応じて種々の変更が可能である。
【０１１０】
例えば、第１制御部５において第１紫外線照射装置１の動作時間を記憶しておき、第１紫外線照射装置１の動作時間が第１所定時間以上になったときに、第１紫外線照射装置１の交換を促すための報知を行うようにしてもよい。同様に、第２制御部６において第２紫外線照射装置２の動作時間を記憶しておき、第２紫外線照射装置２の動作時間が第２所定時間以上になったときに、第２紫外線照射装置２の交換を促すための報知を行うようにしてもよい。
【０１１１】
また、第１制御部５において第１電源部の電池の残容量を監視しておき、第１電源部の電池の残容量が第１所定容量以下になったときに、第１電源部の電池の交換を促すための報知を行うようにしてもよい。同様に、第２制御部６において第２電源部の電池の残容量を監視しておき、第２電源部の電池の残容量が第２所定容量以下になったときに、第２電源部の電池の交換を促すための報知を行うようにしてもよい。
【０１１２】
また、第１制御部５は、水処理システム１００において水出口部４から水を出さない不使用時、使用前等に第１紫外線照射装置１を制御して第１ＵＶＬＥＤ１１から紫外線を照射させるようにしてもよい。
【０１１３】
また、第２制御部６は、水処理システム１００において水出口部４から水を出さない不使用時、使用前等に第２紫外線照射装置２を制御して第２ＵＶＬＥＤ２１から紫外線を照射させるようにしてもよい。
【０１１４】
また、給水系統３は、水が流れる場合と、お湯が流れる場合とがあってよい。
【０１１５】
（まとめ）
以上説明した実施形態１〜５等から以下の態様が開示されている。
【０１１６】
第１の態様に係る水処理システム（１００；１００ａ；１００ｂ；１００ｃ；１００ｄ；１００ｅ；１００ｆ）は、第１紫外線照射装置（１；１ｂ；１ｄ）と、第２紫外線照射装置（２；２ａ；２ｂ；２ｃ；２ｄ；２ｅ；２ｆ）と、を備える。第１紫外線照射装置（１；１ｂ；１ｄ）は、給水系統（３；３ｄ）の水出口部（４；４ｄ；４ｆ）よりも上流側に設けられる。第１紫外線照射装置（１；１ｂ；１ｄ）は、給水系統（３；３ｄ）を通る水にＵＶ−Ｃの波長域の紫外線を照射する第１ＵＶＬＥＤ（１１）を含む。第２紫外線照射装置（２；２ａ；２ｂ；２ｃ；２ｄ；２ｅ；２ｆ）は、水出口部（４；４ｄ；４ｆ）に設けられる。第２紫外線照射装置（２；２ａ；２ｂ；２ｃ；２ｄ；２ｅ；２ｆ）は、水出口部（４；４ｄ；４ｆ）を通る水にＵＶ−Ｃの波長域の紫外線を照射する第２ＵＶＬＥＤ（２１）を含む。
【０１１７】
第１の態様に係る水処理システム（１００；１００ａ；１００ｂ；１００ｃ；１００ｄ；１００ｅ；１００ｆ）では、殺菌効果の向上を図れる。
【０１１８】
第２の態様に係る水処理システム（１００；１００ａ；１００ｂ；１００ｃ；１００ｄ；１００ｅ；１００ｆ）は、第１の態様において、第１紫外線照射装置（１；１ｂ；１ｄ）による第１紫外線照射量と第２紫外線照射装置（２；２ａ；２ｂ；２ｃ；２ｄ；２ｅ；２ｆ）による第２紫外線照射量との合計が目標紫外線照射量以上である。
【０１１９】
第２の態様に係る水処理システム（１００；１００ａ；１００ｂ；１００ｃ；１００ｄ；１００ｅ；１００ｆ）では、目標紫外線照射量以上の紫外線を水に照射することが可能となる。
【０１２０】
第３の態様に係る水処理システム（１００；１００ａ；１００ｂ；１００ｃ；１００ｄ；１００ｅ；１００ｆ）は、第２の態様において、第１紫外線照射装置（１；１ｂ；１ｄ）を制御する第１制御部（５）と、第２紫外線照射装置（２；２ａ；２ｂ；２ｃ；２ｄ；２ｅ；２ｆ）を制御する第２制御部（６）と、を備える。水処理システム（１００；１００ａ；１００ｂ；１００ｃ；１００ｄ；１００ｅ；１００ｆ）では、第１制御部（５）による第１紫外線照射装置（１；１ｂ；１ｄ）の制御と第２制御部（６）による第２紫外線照射装置（２；２ａ；２ｂ；２ｃ；２ｄ；２ｅ；２ｆ）の制御とによって第１紫外線照射量と第２紫外線照射量との合計を目標紫外線照射量以上とする。
【０１２１】
第３の態様に係る水処理システム（１００；１００ａ；１００ｂ；１００ｃ；１００ｄ；１００ｅ；１００ｆ）では、目標紫外線照射量以上の紫外線を、より確実に水に照射することが可能となる。
【０１２２】
第４の態様に係る水処理システム（１００；１００ａ；１００ｂ；１００ｃ；１００ｄ；１００ｅ；１００ｆ）では、第２又は３の態様において、目標紫外線照射量は、１０ｍＪ／ｃｍ２である。
【０１２３】
第４の態様に係る水処理システム（１００；１００ａ；１００ｂ；１００ｃ；１００ｄ；１００ｅ；１００ｆ）では、目標紫外線照射量に関して、公益財団法人水道技術研究センターにおいて制定されている紫外線照射装置ＪＷＲＣ技術審査基準を満たすことが可能となる。
【０１２４】
第５の態様に係る水処理システム（１００；１００ａ；１００ｂ；１００ｃ；１００ｄ；１００ｅ；１００ｆ）では、第１〜４の態様のいずれか一つにおいて、第１紫外線照射装置（１；１ｂ；１ｄ）は、透過部（１３）を含む。透過部（１３）は、給水系統（３；３ｄ）の一部を構成し第１ＵＶＬＥＤ（１１）からの紫外線を透過する。第１ＵＶＬＥＤ（１１）は、給水系統（３；３ｄ）の外側において第１紫外線照射装置（１；１ｂ；１ｄ）の透過部（１３）に接している。
【０１２５】
第５の態様に係る水処理システム（１００；１００ａ；１００ｂ；１００ｃ；１００ｄ；１００ｅ；１００ｆ）では、第１ＵＶＬＥＤ（１１）で発生した熱を水に接する透過部（１３）を通して放熱させることができる。
【０１２６】
第６の態様に係る水処理システム（１００；１００ａ；１００ｂ；１００ｃ；１００ｆ）では、第１〜５の態様のいずれか一つにおいて、第２紫外線照射装置（２；２ａ；２ｂ；２ｃ；２ｆ）は、透過部（２３）を含む。透過部（２３）は、水出口部（４；４ｆ）の一部を構成し第２ＵＶＬＥＤ（２１）からの紫外線を透過する。第２ＵＶＬＥＤ（２１）は、水出口部（４；４ｆ）の外側において第２紫外線照射装置（２；２ａ；２ｂ；２ｃ；２ｆ）の透過部（２３）に接している。
【０１２７】
第６の態様に係る水処理システム（１００；１００ａ；１００ｂ；１００ｃ；１００ｆ）では、第２ＵＶＬＥＤ（２１）で発生した熱を水に接する透過部（２３）を通して放熱させることができる。
【０１２８】
第７の態様に係る水処理システム（１００ｃ）は、第１〜５の態様のいずれか一つにおいて、第２紫外線照射装置（２ｃ）は、透過部（２３）と、メッシュ部材（８）と、を備える。透過部（２３）は、水出口部（４）の一部を構成し第２ＵＶＬＥＤ（２１）からの紫外線を透過する。メッシュ部材（８）は、水出口部（４）の外側において第２ＵＶＬＥＤ（２１）と透過部（２３）との間に配置されており、第２ＵＶＬＥＤ（２１）からの紫外線の指向性を強める。
【０１２９】
第７の態様に係る水処理システム（１００ｃ）では、レンズのような光学系を用いることなく、第２ＵＶＬＥＤ（２１）からの紫外線の指向性を強めることができる。
【０１３０】
第８の態様に係る水処理システム（１００；１００ａ；１００ｂ；１００ｃ；１００ｄ；１００ｅ；１００ｆ）は、第１〜７の態様のいずれか一つにおいて、紫外線吸収部（７）を更に備える。紫外線吸収部（７）は、第２紫外線照射装置（２；２ａ；２ｂ；２ｃ；２ｄ；２ｅ；２ｆ）の第２ＵＶＬＥＤ（２１）と水出口部（４；４ｄ；４ｆ）の出口（４２）との間に設けられている。紫外線吸収部（７）は、ＵＶ−Ｃの波長域の紫外線を吸収する。
【０１３１】
第８の態様に係る水処理システム（１００；１００ａ；１００ｂ；１００ｃ；１００ｄ；１００ｅ；１００ｆ）では、第２ＵＶＬＥＤ（２１）から放射されたＵＶ−Ｃの波長域の紫外線が水出口部（４；４ｄ；４ｆ）の出口（４２）から出射するのを抑制することが可能となる。
【０１３２】
第９の態様に係る水処理システム（１００ｄ）では、第１〜４の態様のいずれか一つにおいて、第２紫外線照射装置（２ｄ；２ｅ）は、環状部（２６）を含む。環状部（２６）は、第２ＵＶＬＥＤ（２１）からの紫外線を透過する材料により形成されている。環状部（２６）は、水出口部（４ｄ）の一部を構成する。第２ＵＶＬＥＤ（２１）は、環状部（２６）の外周面（２６２）側に配置されている。第２紫外線照射装置（２ｄ；２ｅ）は、反射膜（２７）を更に備える。反射膜（２７）は、環状部（２６）の外周面（２６２）において第２ＵＶＬＥＤ（２１）からの紫外線の入射面以外に設けられている。反射膜（２７）は、第２ＵＶＬＥＤ（２１）からの紫外線を反射する。
【０１３３】
第９の態様に係る水処理システム（１００ｄ）では、第２ＵＶＬＥＤ（２１）からの紫外線を、環状部（２６）を通る水に対して、より効率良く照射することができ、かつ、紫外線が環状部（２６）の外周面（２６２）から外へ出射されるのを抑制することができる。
【０１３４】
第１０の態様に係る水処理システム（１００ｄ）は、第９の態様において、第２紫外線照射装置（２ｅ）は、シリンドリカルレンズ（２８）を更に備える。シリンドリカルレンズ（２８）は、環状部（２６）の内周面（２６１）側に配置され第２ＵＶＬＥＤ（２１）からの紫外線の配光を制御する。
【０１３５】
第１０の態様に係る水処理システム（１００ｄ）では、第２ＵＶＬＥＤ（２１）からの紫外線を、環状部（２６）を通る水に対して、より高い照度の紫外線を照射することが可能となる。
【０１３６】
第１１の態様に係る水処理システム（１００ｆ）では、第１〜８の態様のいずれか一つにおいて、第２紫外線照射装置（２ｆ）は、水出口部（４ｆ）内に設けられ第２ＵＶＬＥＤ（２１）の紫外線照射領域よりも上流側に配置されている羽根車（１０１）を更に備える。
【０１３７】
第１１の態様に係る水処理システム（１００ｆ）では、水出口部（４ｆ）内において羽根車（１０１）により撹拌された水に対して第２ＵＶＬＥＤ（２１）からの紫外線が照射される。
【０１３８】
第１２の態様に係る水処理システム（１００ｆ）は、第１１の態様において、発電機（１０２）と、蓄電池（９）と、を更に備える。発電機（１０２）は、羽根車（１０１）の回転により発電する。蓄電池（９）は、発電機（１０２）により充電され、第２ＵＶＬＥＤ（２１）に電力を供給する。
【０１３９】
第１３の態様に係る水処理システム（１００ｆ）では、第１〜４、１１、１２の態様のいずれか一つにおいて、水出口部（４ｆ）は、浄水器（４３０）を含む。第２紫外線照射装置（２ｆ）は、浄水器（４３０）に設けられている。
【０１４０】
第１３の態様に係る水処理システム（１００ｆ）では、水出口部（４ｆ）に含まれる浄水器（４３０）を流れる水に対して第２紫外線照射装置（２ｆ）による殺菌処理を行うことが可能となる。
【符号の説明】
【０１４１】
１、１ｂ、１ｄ  第１紫外線照射装置
１１  第１ＵＶＬＥＤ
１３  透過部
２、２ａ、２ｂ、２ｃ、２ｄ、２ｅ、２ｆ  第２紫外線照射装置
２１  第２ＵＶＬＥＤ
２３  透過部
２６  環状部
２６１  内周面
２６２  外周面
２７  反射膜
２８  シリンドリカルレンズ
３、３ｄ  給水系統
３００  給水配管
４、４ｄ、４ｆ  水出口部
４２  出口
４３０  浄水器
５  第１制御部
６  第２制御部
７  紫外線吸収部
８  メッシュ部材
９  蓄電池
１００、１００ａ、１００ｂ、１００ｃ、１００ｄ、１００ｅ、１００ｆ  水処理システム
１０１  羽根車
１０２  発電機
【図１】
2020090331.tif 000003
【図２】
2020090331.tif 000004
【図３】
2020090331.tif 000005
【図４】
2020090331.tif 000006
【図５】
2020090331.tif 000007
【図６】
2020090331.tif 000008
【図７】
2020090331.tif 000009
【図８】
2020090331.tif 000010
【図９】
2020090331.tif 000011
【図１０】
2020090331.tif 000012
【国際調査報告】
2020090331.tif 000013
2020090331.tif 000014
2020090331.tif 000015
2020090331.tif 000016